(57)【要約】【課題】安価な３桁の表示手段にてカウントダウンタイマーの時間とカウントアップタイマーの時間をユーザーが迷うことなく、解りやすく表示すること。【解決手段】オフタイマーとカウントアップタイマーを同じ３桁の時間表示手段を用いることでコストアップすることなく、更に比較的安価な時間表示手段でも使い勝手を損なうことなく実現することとなる。【選択図】図１
2010071545.tif 000002
【特許請求の範囲】
【請求項１】
鍋などを加熱する加熱手段と、前記加熱手段の火力設定を複数段階に行える火力設定手段と、前記火力設定手段にて設定された火力を表示する火力表示手段と、３桁で時間を表示する時間表示手段と、加熱をオフする時間を設定し、設定時間からカウントダウンするオフタイマー設定手段と、経過時間を計時し時間をカウントアップさせるよう設定するカウントアップタイマー設定手段とを備え、３桁の前記時間表示手段は前記オフタイマー設定手段にて設定された時間を表示する場合は、前記３桁の最上位桁を時間の位、残り２桁を分の位で表示するとともに、前記カウントアップタイマー設定手段にて時間計時モードが選択されたときは、前記最上位桁を分の位、残り２桁を秒の位で表示する加熱調理器。
【請求項２】
時間表示手段は３桁の最上位桁とその他２桁との間にコロン（「：」）を備え、前記コロン（「：」）をオフタイマー設定手段にてオフ時間が設定され時間を表示している場合には点灯させ、カウントアップタイマー設定手段にて時間計時している場合には点滅させる請求項１記載の加熱調理器。
【請求項３】
カウントアップタイマー設定手段にて計時時間を行っているとき、時間表示手段にて表示する時間は９分５９秒を表す「９：５９」後は「０：００」表示に戻し、その後１秒表示から繰り返す請求項１または２のいずれか１項に記載の加熱調理器。
【請求項４】
カウントアップタイマー中に経過時間の十の桁の分を表示させるモードに切り替える分桁表示切替手段を備えるとともに、加熱中火力表示手段は設定された火力を段階的に現すレベルバーで表示し、前記分桁表示切替手段が選択されたときは、計時時間のうち十の桁の分に該当する数字のところのみ表示する請求項３に記載の加熱調理器。
【請求項５】
分桁表示切替手段にて十の桁の分表示を行った場合、所定時間経過後は火力表示手段による表示を設定火力を示すレベルバー表示に戻す請求項４に記載の加熱調理器。
【請求項６】
分桁表示切替手段が押されている間のみ、火力表示手段による表示を設定火力表示から十の桁の分表示に切り替える請求項４に記載の加熱調理器。
【発明の詳細な説明】
【技術分野】
【０００１】
本発明は、時間計時が行える加熱調理器に関するものである。
【背景技術】
【０００２】
従来、この種の加熱調理器は、図７に示すように、商用電源１、加熱手段２と、加熱手段２で鍋等を誘導加熱するための加熱コイル３と、加熱コイル３に高周波電流を流すインバータ回路４からなる。５は制御手段で、６の操作部からの信号を受けて、「１」から「９」の９段階の火力が鍋に加わるようにインバータ回路４を制御している。７はＬＣＤからなるタイマー時間表示手段、８はＬＥＤからなる火力表示手段、９は加熱のオン・オフを行う加熱切／入スイッチ、１０は火力設定手段で１０ａの火力アップスイッチ、１０ｂの火力ダウンスイッチからなり、１１はカウントダウンタイマーの時間を設定するオフタイマー設定手段で、１１ａがタイマー時間アップスイッチ、１１ｂがタイマー時間ダウンスイッチである。１４はカウントアップタイマーを設定するカウントアップモードスイッチ、１５はブザー等の報知手段である。
【０００３】
ここで、加熱時間の設定を行い、設定時間後に自動的に加熱をオフさせるカウントダウンタイマーを設定する場合は、タイマー時間アップスイッチ１１ａまたはタイマー時間ダウンスイッチ１１ｂにて時間を設定する。通常はタイマー時間表示手段７には何も表示されていないが、カウントダウンタイマーが設定されるとタイマー時間表示手段７に残時間が表示される。一般に低火力での煮込みなどには数時間のタイマーが使用されることが多く、タイマー時間表示手段７は「時間」と「分」の単位を表示する。
【０００４】
また、カウントダウンタイマーは設定時間後に加熱をオフしてしまうので、調理時に火力調整や材料投入などのタイミングを図る目的などキッチンタイマー的な時間計時モードとして、カウントアップタイマーを用いることが可能である。カウントアップモードスイッチ１４が押されカウントアップモードになると、タイマー時間表示手段７は「分」と「秒」の単位で計時時間を表示する。表示スペースに余裕がある場合にはそれぞれ独立した表示手段を用いれば解りやすくすることも可能であるが、タイマーのカウントダウンとカウントアップで同じタイマー時間表示手段にて時間を表示する場合には、それぞれの桁の単位を表示することで区別したりするものであった（例えば、特許文献１参照）。
【特許文献１】特許第３８１４７８４号公報
【発明の開示】
【発明が解決しようとする課題】
【０００５】
しかしながら、タイマー時間表示手段７がＬＣＤなどで、状況に応じて単位の表示を変えることができる場合はよいが、７セグＬＥＤなどにて時間表示をする場合、単位を表示が難しいという課題を有していた。また、単位表示ができない場合、表示途中で桁の単位を変更するとユーザーは計時時間がわからなくなるという課題を有していた。
【０００６】
本発明は、前記従来の課題を解決するもので、安価な３桁の表示手段にてカウントダウンタイマーの時間とカウントアップタイマーの時間をユーザーが迷うことなく、解りやすく表示することを目的としている。
【課題を解決するための手段】
【０００７】
前記従来の課題を解決するために、本発明の加熱調理器は、鍋などを加熱する加熱手段と、前記加熱手段の火力設定を複数段階に行える火力設定手段と、前記火力設定手段にて設定された火力を表示する火力表示手段と、３桁で時間を表示する時間表示手段と、加熱
をオフする時間を設定し、設定時間からカウントダウンするオフタイマー設定手段と、経過時間を計時し時間をカウントアップさせるよう設定するカウントアップタイマー設定手段とを備え、３桁の前記時間表示手段は前記オフタイマー設定手段にて設定された時間を表示する場合は、前記３桁の最上位桁を時間の位、残り２桁を分の位で表示するとともに、前記カウントアップタイマー設定手段にて時間計時モードが選択されたときは、前記最上位桁を分の位、残り２桁を秒の位で表示するようにしたものである。
【０００８】
これによって、オフタイマーとカウントアップタイマーを同じ３桁の時間表示手段を用いることでコストアップすることなく、更に比較的安価な時間表示手段でも使い勝手を損なうことなく実現することとなる。
【発明の効果】
【０００９】
本発明の加熱調理器は、オフタイマーとカウントアップタイマーを同じ３桁の時間表示手段を用いることでコストアップすることなく、更に比較的安価な時間表示手段でも使い勝手を損なうことなく実現することができる。
【発明を実施するための最良の形態】
【００１０】
第１の発明は、鍋などを加熱する加熱手段と、前記加熱手段の火力設定を複数段階に行える火力設定手段と、前記火力設定手段にて設定された火力を表示する火力表示手段と、３桁で時間を表示する時間表示手段と、加熱をオフする時間を設定し、設定時間からカウントダウンするオフタイマー設定手段と、経過時間を計時し時間をカウントアップさせるよう設定するカウントアップタイマー設定手段とを備え、３桁の前記時間表示手段は前記オフタイマー設定手段にて設定された時間を表示する場合は、前記３桁の最上位桁を時間の位、残り２桁を分の位で表示するとともに、前記カウントアップタイマー設定手段にて時間計時モードが選択されたときは、前記最上位桁を分の位、残り２桁を秒の位で表示するものであり、桁の単位を表示しなくとも長時間の煮込みその後オフさせるような場合にはカウントダウンタイマーとして最長１０時間弱まで使用できるとともに、カウントアップタイマーとして使用する場合には９分５９秒まで秒単位で表示できるので、調理物の投入タイミングを計ったり、微妙な火通しが必要な場合にも正確に時間を知ることができる。
【００１１】
また、第２の発明は、特に第１の発明の加熱調理器において、時間表示手段は３桁の最上位桁とその他２桁との間にコロン（「：」）を備え、前記コロン（「：」）をオフタイマー設定手段にてオフ時間が設定され時間を表示している場合には点灯させ、カウントアップタイマー設定手段にて時間計時している場合には点滅させるものであり、これにより現在表示されている時間が「時間」と「分」なのか、「分」と「秒」なのかをわかりやすくするこができる。
【００１２】
また、第３の発明は、特に第１または第２の発明の加熱調理器において、カウントアップタイマー設定手段にて計時時間を行っているとき、時間表示手段にて表示する時間は９分５９秒を表す「９：５９」後は「０：００」表示に戻し、その後１秒表示から繰り返すものであり、一般的なキッチンタイマーでの使用では１０分から１５分以内での使用が多く、かつカウントアップタイマー表示中に表示桁の単位が変わることはないのでユーザーに混乱を与えることはない。
【００１３】
また、第４の発明は、特に第３の発明の加熱調理器において、カウントアップタイマー中に経過時間の十の桁の分を表示させるモードに切り替える分桁表示切替手段を備えるとともに、加熱中火力表示手段は設定された火力を段階的に現すレベルバーで表示し、前記分桁表示切替手段が選択されたときは、計時時間のうち十の桁の分に該当する数字のところのみ表示するものであり、これにより１０分を過ぎた場合にもきちんと何十分経過して
いるかをユーザーは知ることができる。
【００１４】
また、第５の発明は、第４の発明の加熱調理器において、分桁表示切替手段にて十の桁の分表示を行った場合、所定時間経過後は火力表示手段による表示を設定火力を示すレベルバー表示に戻すものであり、表示を戻し忘れても自動的に火力表示に戻し、実際に加熱している火力が表示さるので火力を誤ることがなく、調理の失敗を防ぐことができる。
【００１５】
また、第６の発明は、特に、第４の発明の加熱調理器において、分桁表示切替手段が押されている間のみ、火力表示手段による表示を設定火力表示から十の桁の分表示に切り替えるものであり、ユーザーが知りたい時だけ時間がわかればよく、その他の時は火力を表示しているので火力を誤ることなく、調理の失敗を防ぐことができる。
【００１６】
以下本発明の実施の形態について、図面を参照しながら説明する。なお、この実施の形態によって本発明が限定されるものではない。
【００１７】
（実施の形態１）
図１は、本発明の第１の実施の形態における加熱調理器の構成図を示すものである。
【００１８】
１は商用電源、２は加熱手段で鍋等を誘導加熱するための加熱コイル３と加熱コイル３に高周波電流を流すインバータ回路４からなる。５は制御手段で、６の操作部からの信号を受けて、「１」から「９」の９段階の火力が鍋に加わるようにインバータ回路４を制御している。７は３桁のディジタル表示ができるタイマー時間表示手段（解りやすいように８：８８と表示しているが、通常タイマー時間を表示していない時は何も表示されていない状態である）、８はＬＥＤからなる火力表示手段、９は加熱のオン・オフを行う加熱切／入スイッチ、１０は火力設定手段で１０ａの火力アップスイッチ、１０ｂの火力ダウンスイッチからなり、１１はカウントダウンタイマーの時間を設定するオフタイマー設定手段で、１１ａがタイマー時間アップスイッチ、１１ｂがタイマー時間ダウンスイッチである。１４はカウントアップタイマーを設定するカウントアップモードスイッチ、１５はブザー等の報知手段である。１６はタウンとアップモード表示手段で、カウントアップモードスイッチ１４が押されカウントアップモードになった時に点灯して、タイマー時間表示手段７に表示されている時間がカウントアップの時間であることを示すものである。
【００１９】
まず、加熱を開始するために加熱切／入スイッチ９を押すと制御手段５がインバータ回路４を駆動して加熱コイル３に高周波電流が流れることで鍋などが加熱される。ここで、火力設定手段１０にて設定可能な火力は、１００Ｗ、３００Ｗ、５００Ｗ、７００Ｗ、１０００Ｗ、１５００Ｗ、２０００Ｗ、２５００Ｗ、３０００Ｗの９段階で、低火力から順に設定１、設定２・・・設定９となっており、加熱切／入スイッチ９を押したのみでの加熱開始時は設定５の１０００Ｗで加熱スタートするようになっている。そしてその時火力表示手段８には１から５までのＬＥＤが点灯する。ここで火力をあげたい場合には火力アップスイッチ１０ａを押すと火力表示手段８のＬＥＤは６まで点灯するとともに、操作部６から制御手段５に設定６が送信され、最終的に加熱手段２は火力が１５００Ｗになるように制御される。火力を下げたい場合も同様である。
【００２０】
次にカウントダウンタイマーの動作について図２、３を用いて説明する。ここで図２はタイマー時間を設定するときのタイマー時間表示手段７の表示状態を示している。通常カウントダウンタイマーが設定されていない状態が図２のステップ２０である。この状態でタイマー時間アップスイッチ１１ａが押されるごとにステップ２１、ステップ２２のようにタイマー時間表示手段７に表示されている時間が変わっていく。また、ステップ２０の状態からタイマー時間ダウンスイッチ１１ｂが押されるとステップ２６の状態の９時間３０分が表示される。またどちらのスイッチも長押しすることで通常よりも早い間隔で表示
時間を増加または減少させることができる。これにより短い時間を設定したい場合にはタイマー時間アップスイッチ１１ａを数回押すかあるいは押し続けることで短時間に設定することができる。また、長時間設定したい場合にはタイマー時間アップスイッチ１１ｂを数回押すかあるいは押し続けることで短時間にタイマー時間を設定することができるようになっている。また、このオフタイマー時間はコロン（「：」）の前後でつまり３桁の内の最上位桁を時、残り２桁を分として表している。次にカウントダウンタイマーが設定されたときの表示状態を図３を用いて説明する。図３はまずステップ３０が火力設定５でオフタイマー時間が２０分が設定された状態である。そして１分経過するとタイマー時間表示手段７の表示が１９となる（ステップ３１）。そして時間が０となると（ステップ３２）報知手段１５にてブザー報知をおこない、その後ステップ３３のようにタイマー時間表示手段７の表示が消えるとともに、火力表示手段８の表示も消え加熱がオフする。
【００２１】
次にカウントアップタイマーモードについて、図４および図５をもちいて説明する。図４においてステップ４０はタイマー時間表示手段７に何も表示していない状態である。ここでカウントアップモードスイッチ１４を押すとステップ４１のように（０：００）が表示される。そしてステップ４２、ステップ４３というように１秒刻みで時間を増加させる。そしてこのときは３桁の内の最上位桁を分、残り２桁を秒として時間を表す。この場合、１秒ごとに時間が増加していくので使用者は、桁の単位を表示しなくとも今がカウントアップタイマーで時間を表示していることがわかるとともに、９分５９秒まで秒単位で表示できるので、調理物の投入タイミングを計ったり、微妙な火通しが必要な場合にも正確に時間を知ることができる。更に、カウントアップモード表示手段１６を点灯させれば、よりカウントアップモードであることが一目でわかるようにすることも可能である。また、図５で示すように、カウントアップモード中はコロン（「：」）を例えば０．５秒間隔で点滅させる。すなわちステップ５１でまず（０：００）が表示された状態で、その０．５秒後にステップ５２のようにコロン（「：」）だけが消灯し、更にその０．５秒後にステップ５３のように表示時間が１秒となるとともにコロン（「：」）が点灯する。このようにカウントダウンタイマーとカウントアップタイマーでタイマー時間表示手段７による表示方法を変えることで、カウントアップモード表示手段１６がなくてもカウントアップタイマーモードであることがわかるようにし、現在表示されている時間が「時間」と「分」なのか、「分」と「秒」なのかをわかりやすくするこができる。
【００２２】
尚、本実施の形態ではカウントダウンタイマー時の１時間以下、およびカウントアップタイマー時の１分以下では最上位桁に０を表示しているが、最上位桁の０表示を消してもよい。
【００２３】
次に図４や図５においてステップ４６からステップ４１へ、ステップ５８からステップ５１へ移行し９分５９秒を表す（９：５９）から（０：００）に表示を戻すようにし、その後ステップ４１からステップ４２、ステップ５１からステップ５２というようにする。
【００２４】
一般に、カウントアップタイマーの使用は１０分から１５分以内が多い。使用者がタイマー時間表示手段７に表示されている時間をしばらく見ておらず、その後例えば（２：３０）というような表示を見た場合には、それが２分３０秒なのか１２分３０秒なのかは、感覚的に理解することができるので、２０分を超えない範囲であれば、経過時間を知ることができる。またより確実に分の桁が何十何分なのかが解るように、分桁表示切替手段を備える。ここで分桁表示切替手段はカウントアップタイマーモード中のみで使用するものであるので、タイマー時間アップスイッチ１１ａまたはタイマー時間ダウンスイッチ１１ｂのどちらかと共用またはそれら二つのスイッチをどちらも分桁表示切替手段として使用することができ、それによりスイッチの数を増やすことなくカウントアップモード中の十の桁の分を表示させることができる。次に十の桁の分を表示させた場合の表示例を図６を用いて説明する。ここでカウントアップタイマーの時間が２１分１９秒経過しているとす
る。まず図６（ａ）は加熱中のカウントアップ時間を表示している状態である。加熱火力は設定５で火力表示手段８には１から５までのＬＥＤが点灯している。更にカウントアップモードを示すカウントアップモード表示手段１６が点灯していて、タイマー時間表示手段７に（０：１９）が表示されている。この状態で、分桁切替表示切替手段としてタイマー時間アップスイッチ１１ａまたはタイマー時間ダウンスイッチ１１ｂを押す。すると図６（ｂ）のように火力表示手段８の表示が２のＬＥＤのみ点灯して他の点灯していたＬＥＤは消灯する。これによりタイマー時間表示手段７に表示されている０は２０分を表していることがわかる。これにより本実施の形態では９０分５９秒までカウントアップタイマーとして使用することが可能である。そして５秒後にタイマー表示手段８の表示は図６（ｂ）の状態からものと（ａ）の状態に自動的にもどる。これにより再度分桁切替表示手段を押すなどして表示を戻す必要のなく、また、意図せず表示が切り替わってしまった場合でも５秒後には火力表示に戻っているので、火力を誤ることがなく調理の失敗を防ぐことができる。
【００２５】
更に、分桁の確認は１度行えばその後は分桁の１の位だけどしばらくは想像でき、何度も押す必要はないので、分桁切替表示手段を押している間のみ図６（ｂ）の表示にし、押すのを止めた時にはもとの火力表示に戻るようにすることで、通常は常に火力を表示させることができ、火力の誤りによる調理の失敗をふせぐことができる。
【００２６】
以上のようにすることにより、タイマー時間表示手段７に表示されている時間の単位を表示しなくとも、単位を間違えることなくカウントアップタイマーの長時間化を実現することができる。
【００２７】
なお、本実施の形態による加熱手段は誘導加熱としたが、ヒータやガス等の熱源を加熱手段にしても何ら変わりはない。
【産業上の利用可能性】
【００２８】
以上のように、本発明にかかる加熱調理器は、加熱手段を問うことなくユーザーの使い勝手を損なうことのないカウントダウンとカウントアップのタイマーを同じ表示手段でかつ３桁の安価なものを用いて実現できる。
【図面の簡単な説明】
【００２９】
【図１】本発明の第１の実施の形態における加熱調理器の構成図
【図２】本発明の第１の実施の形態におけるカウントダウンタイマーの設定時の常態遷移図
【図３】本発明の第１の実施の形態における操作部のカウントダウンの時間表示例を示す図
【図４】本発明の第１の実施の形態におけるカウントアップタイマーモード時の時間表遷移図
【図５】本発明の第１の実施の形態におけるカウントアップタイマーモード時の第２の時間表示遷移図
【図６】本発明の第１の実施の形態における操作部のカウントアップ時の表示例を示す図
【図７】従来の加熱調理器の構成図
【符号の説明】
【００３０】
２  加熱手段
７  タイマー時間表示手段
８  火力表示手段
１０  火力設定手段
１１  オフタイマー設定手段
１４  カウントアップモードスイッチ
【図１】
2010071545.tif 000003
【図２】
2010071545.tif 000004
【図３】
2010071545.tif 000005
【図４】
2010071545.tif 000006
【図５】
2010071545.tif 000007
【図６】
2010071545.tif 000008
【図７】
2010071545.tif 000009